(57)【要約】  【課題】  高負荷容量で、部品点数も少なく、しかも針状ころの脱落のない保持器付き針状ころを低コストで得る  【解決手段】  環状の保持器本体に、２本の針状ころを並列状態で収容するポケット１２が等間隔で複数配置され、各ポケット１２の円周方向の対向壁面の内径側と外径側にそれぞれ針状ころの抜け止め防止部１３、１４を設けた保持器付き針状ころにおいて、環状の保持器本体が樹脂製とし、針状ころの端面が対向する各ポケット１２の内壁面に、２本の針状ころ間に位置し、針状ころの端面の面取り部を支える突起部１５を保持器本体と一体に形成した。【選択図】図３
2011196421.tif 000002
【特許請求の範囲】
【請求項１】
環状の保持器本体に、２本の針状ころを並列状態で収容するポケットが等間隔で複数配置され、各ポケットの円周方向の対向壁面の内径側と外径側にそれぞれ針状ころの抜け止め部を設けた保持器付き針状ころにおいて、環状の保持器本体が樹脂製で、針状ころの端面が対向する各ポケットの内壁面に、２本の針状ころ間に位置し、針状ころの端面の面取り部を支える突起部を保持器本体と一体に形成したことを特徴とする保持器付き針状ころ。
【請求項２】
上記突起部が、隣り合う針状ころの両端の面取り部とポケット内壁面との間の空間を埋める大きさに形成されている請求項１記載の保持器付き針状ころ。
【請求項３】
上記突起部が、ポケット内壁面の内径側に位置することを特徴とする請求項１又は２記載の保持器付き針状ころ。
【請求項４】
上記突起部が、ポケット内壁面の外径側に位置することを特徴とする請求項１又は２記載の保持器付き針状ころ。
【請求項５】
上記突起部が、ポケット内壁面の内径側と外径側の両方に位置することを特徴とする請求項１又は２記載の保持器付き針状ころ。
【請求項６】
上記突起部が、内径側と外径側との間を繋ぐ凸状に形成されている請求項１又は２記載の保持器付き針状ころ。
【請求項７】
建設機械又は減速機の用途に使用される請求項１〜６に記載の保持器付き針状ころ。
【発明の詳細な説明】
【技術分野】
【０００１】
この発明は、高負荷容量型の保持器付き針状ころに関するものである。
【背景技術】
【０００２】
一定のスペース内で最大の負荷容量を得る針状ころ軸受として総ころ形式があるが、取り扱い上の問題点、すなわち組立、分解時の取扱性の悪さがあり、また、使用中の針状ころのスキューによる機能的な問題が内在する。これらの問題を解決するため、保持器付き針状ころが種々提案されている。
【０００３】
その一つの保持器付き針状ころとして、特許文献１に開示されたものがある。
この特許文献１に開示された保持器付き針状ころは、図１２（Ａ）（Ｂ）に示すように、保持器１ところ２とからなり、保持器１は、外方部材３および内方部材４で構成される。外方部材３は、ころ配列のピッチ円ＰＣＤの径より大径の環状部３ａと、この環状部３ａの軸方向両端部から内径側に屈曲して延びる鍔部３ｂとを有する。内方部材４は、ころ配列のピッチ円ＰＣＤの径より小径の環状に形成する。これら外方部材３の環状部３ａおよび内方部材４は、円筒状のものであり、円周方向複数箇所に等間隔でポケットをそれぞれ設ける。これら外方部材３および内方部材４のポケットにわたって上記のころ２を収容する。外方部材３および内方部材４の隣合うポケット間の部分は、それぞれ柱部となる。
【０００４】
また、他の種類の保持器付き針状ころとして、図１３に示すように、金属製の保持器５の一つのポケット６内に２つのころ７を収容することにより、負荷容量を高めたものもある（特許文献２）。
【先行技術文献】
【特許文献】
【０００５】
【特許文献１】特開２００３−１６６５４０号公報
【特許文献２】特公平１−３８９７１号公報
【発明の概要】
【発明が解決しようとする課題】
【０００６】
ところで、特許文献１に示す保持器付き針状ころ１は、高負荷容量ではあるが、内径側脱落式であり、金属保持器と内側樹脂保持器の組合せで使用され、部品点数が多く、高コストであるという問題がある。
【０００７】
また、内側保持器により、内径側が蓋をした状態になるため、内径側からの通油性が悪いという問題もある。
【０００８】
一方、特許文献２に開示された保持器付き針状ころは、一つのポケット６に針状ころ７が２本収容されているため、高負荷容量であるし、内径側の通油性も良好である。
【０００９】
しかしながら、この特許文献２に開示されたものは、金属製の保持器５を溶接して成形するため、溶接部の周方向寸法に誤差が生じやすい。そのため、確実に保持することが難しい。上記の理由により、溶接部にはころが１本しか入れられず負荷容量が下がるという問題がある。
【００１０】
また、一つのポケット６に２つの針状ころ７を柱に設けたころ止めのみで保持しているため、ころが脱落し易いという問題があった。
【００１１】
そこで、この発明は、高負荷容量で、部品点数も少なく、しかも針状ころの脱落のない保持器付き針状ころを低コストで得ることを課題とするものである。
【課題を解決するための手段】
【００１２】
前記の課題を解決するために、この発明は、環状の保持器本体に、２本の針状ころを並列状態で収容するポケットが等間隔で複数配置され、各ポケットの円周方向の対向壁面の内径側と外径側にそれぞれ針状ころの抜け止め防止部を設けた保持器付き針状ころにおいて、環状の保持器本体が樹脂製で、針状ころの端面が対向する各ポケットの内壁面に、２本の針状ころ間に位置し、針状ころの端面の面取り部を支える突起部を保持器本体と一体に形成したものである。
【００１３】
この発明においては、針状ころの端面が対向する各ポケットの内壁面に、２本の針状ころ間に、針状ころの端面の面取り部を支える突起部を設けているため、針状ころ同士の接触による脱落が防止することができる。
【００１４】
また、保持器本体と突起部は、樹脂の一体成形であるため、製造コストも安く、ポケットへの針状ころの押し込みによって、組立ても簡単に行える。
【００１５】
また、ポケットの内径側が開放されているため、通油性も良好である。
【発明の効果】
【００１６】
この発明は、以上のように、高負荷容量で、部品点数も少なく、しかも針状ころの脱落のない保持器付き針状ころを低コストで得ることができる。
【図面の簡単な説明】
【００１７】
【図１】この発明に係る保持器付き針状ころの斜視図である。
【図２】図１に示す保持器付き針状ころの側面図である。
【図３】この発明に係る保持器付き針状ころの保持器の一例を示す斜視図である。
【図４】図３に示す保持器の中央縦断側面図である。
【図５】図４に示す保持器に針状ころを収容した状態を示す縦断側面図である。
【図６】図３に示す保持器の中央縦断正面図である。
【図７】この発明に係る保持器付き針状ころの保持器の他の例を示す斜視図である。
【図８】図７の保持器のポケット部分の拡大縦断側面図である。
【図９】この発明に係る保持器付き針状ころの保持器のその他の例を示す斜視図である。
【図１０】図９の保持器のポケット部分の拡大縦断側面図である。
【図１１】図９の保持器のポケット部分の平面図である。
【図１２】従来の保持器付き針状ころを示し、（Ａ）は側面図、（Ｂ）は縦断正面図である。
【図１３】従来の保持器付き針状ころの他の例を示す斜視図である。
【発明を実施するための形態】
【００１８】
以下、この発明の実施の形態を添付図面に基づいて説明する。
【００１９】
この発明に係る保持器付き針状ころは、図１に示すように、樹脂製の保持器１０と、針状ころ１１とからなる。
【００２０】
樹脂製の保持器１０には、環状の保持器本体に２本の針状ころ１１を並列状態で収容するポケット１２が等間隔で複数配置されている。
【００２１】
ポケット１２の円周方向の対向壁面には、ポケット１２に収容する針状ころ１１のピッチ円径ＰＣＤよりも小径位置に内径側抜け止め部１３、ピッチ円径ＰＣＤよりも大径位置に外径側抜け止め部１４がそれぞれ設けられている。
【００２２】
また、図３〜図６に示す実施形態では、針状ころ１１の端面が対向する各ポケット１２の内壁面の内径側に、２本の針状ころ１１の間に位置し、針状ころ１１の端面の面取り部分を支持する突起部１５を保持器本体と一体に形成しており、この突起部１５によって２本の針状ころ１１が内径側に脱落することを防止している。
【００２３】
したがって、上記突起部１５は、隣り合う針状ころ１１の両端の面取り部とポケット内壁面との間の空間を埋める大きさに形成されている。
【００２４】
次に、図７〜図８に示す実施形態では、上記突起部１５を、針状ころ１１の端面が対向する各ポケット１２の内壁面の外径側に形成し、針状ころ１１の外径側への脱落を防止している。
【００２５】
上記の実施形態では、突起部１５を内径側又は外径側のいずれかに設けているが、内径側と外径側の両方に設けてもよい。
【００２６】
また、図９〜図１１に示す実施形態のように、突起部１５を内径側と外径側との間を繋ぐ凸状に形成してもよい。
【００２７】
この発明の保持器１０は、樹脂製であり、射出成形等により製造することが可能であるため、大量生産が容易となり、安価に製造することができる。保持器１０の材質としては、例えば、ナイロン６６やナイロン４６、ポリフェニレンスルフィド（ＰＰＳ）やポリエーテルエーテルケトン（ＰＥＥＫ）等が挙げられる。なお、必要に応じて、樹脂に炭素繊維やガラス繊維、カーボンブラック等を充填することにしてもよい。
【００２８】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００２９】
この発明に係る保持器付き針状ころは、高負荷容量であるため、建設機械、減速機に有効に利用される。
【符号の説明】
【００３０】
１０  保持器
１１  針状ころ
１２  ポケット
１３  内径側抜け止め部
１４  外径側抜け止め部
１５  突起部
【図１】
2011196421.tif 000003
【図２】
2011196421.tif 000004
【図３】
2011196421.tif 000005
【図４】
2011196421.tif 000006
【図５】
2011196421.tif 000007
【図６】
2011196421.tif 000008
【図７】
2011196421.tif 000009
【図８】
2011196421.tif 000010
【図９】
2011196421.tif 000011
【図１０】
2011196421.tif 000012
【図１１】
2011196421.tif 000013
【図１２】
2011196421.tif 000014
【図１３】
2011196421.tif 000015